(57)【要約】      （修正有）【課題】簡易に着脱できるとともに、携行ができ、しかも複雑な構造としないため製造も容易な、草履のつま先カバーを提供する。【解決手段】草履のつま先カバーは、草履の爪先から前部までを覆う上面部と、上面部と一体的に形成され、草履の表面に載る底面部とを備え、底面部の前部には鼻緒を通す孔が設けられ、孔より後部方向に延びる切り線が設けられるとともに、底面の長手方向の中心線付近より左右いずれかの片側は、底面部を形成するシートが二重になるように形成される。つま先カバーは、透明度を有することが好ましく、上面部には模様を印刷することができる。【選択図】図１３
0003233165.tif 000002
【実用新案登録請求の範囲】
【請求項１】
草履の爪先から前部までを覆う上面部と、
前記の上面部と一体的に形成され、草履の表面に載る底面部とを備え、
前記の底面部の前部には鼻緒を通す孔が設けられ、
前記孔より後部方向に延びる切り線が設けられるとともに、
底面の長手方向の中心線付近より左右いずれかの片側は、底面部を形成するシートが二重になるように形成されたことを特徴とする、草履のつま先カバー。
【請求項２】
前記つま先カバーは、透明度を有する材料により形成されたことを特徴とする、請求項１に記載の和装用草履のつま先カバー。
【請求項３】
前記つま先カバーの上面部には、模様を印刷したことを特徴とする、請求項１または２のいずれかに記載の和装用草履のつま先カバー。
【考案の詳細な説明】
【技術分野】
【０００１】
本考案は和装用草履の草履のつま先カバーの改良に関するものである。
【背景技術】
【０００２】
従来の爪掛は草履と固定され一体化している物が多く、屋外では防寒・雨避けとし必要であっても、屋内ではその必要性がなく、邪魔であった。
【考案の概要】
【考案が解決しようとする課題】
【０００３】
このため、これまでにも雨除けなどの目的で、草履のつま先カバーが開発されている。
【先行技術文献】
【特許文献】
【０００４】
【特許文献１】実用新案登録第３２０５５５９号公報
【特許文献２】実用新案登録第３２２０３２９号公報
【０００５】
実用新案登録第３２０５５５９「和装草履用雨具」においては、草履に被せる雨具が開示されている。
しかしながら、この雨具は、あたかも長靴のような形状で、草履の風情を損ねるものであり、実用的、装飾的ではない。
【０００６】
実用新案登録第３２２０３２９号「和装用草履のつま先カバー」においては、和装用の草履を履いたときの雨避けができ、携行できるつま先カバーが加持されている。
上記考案は、和装用の草履の爪先部から前部を覆う上面部と、ここれに一体的に形成されている底面部を有しており、底面部の前部の中央部には前緒を通すための孔があり、孔の下部の側縁部より底面部の後方向に向かって側方への屈曲部を介し、後端部に延びる切線が形成されている。
底面部の後端部側には、上記切線を挟んだ一方側から他方側に延びる延出片を設け、他方側の底面部と重なり合うようにして、和装用草履のつま先カバーとしているものである。
本考案においては、屈曲部を介して後端部に延びる切線を形成しなければならないなど、構造が複雑であり、製造にもコストがかかる。
その割には、足裏への負担や違和感は、このような複雑な構造を採用しなくても、つま先カバーの底面は薄く柔らかい素材であるため、変わらない。
【０００７】
そこで本考案においては、従来の爪掛や草履のつま先カバーの欠点を解消し、簡易に着脱できるとともに、携行ができ、しかも複雑な構造としないため製造も容易な、草履のつま先カバーを提供することを目的とする。
【考案の開示】
【課題を解決するための手段】
【０００８】
上記課題を解決するため、請求項１に記載の考案は、
草履の爪先から前部までを覆う上面部と、
前記の上面部と一体的に形成され、草履の表面に載る底面部とを備え、
前記の底面部の前部には鼻緒を通す孔が設けられ、
前記孔より後部方向に延びる切り線が設けられるとともに、
底面の長手方向の中心線付近より左右いずれかの片側は、底面部を形成するシートが二重になるように形成された、草履のつま先カバーであることを特徴とする。
【０００９】
上記課題を解決するため、請求項２に記載の考案は、
前記つま先カバーは、透明度を有する材料により形成された、請求項１に記載の和装用草履のつま先カバーであることを特徴とする。
【００１０】
上記課題を解決するため、請求項３に記載の考案は、
前記つま先カバーの上面部には、模様を印刷した、請求項１または２のいずれかに記載の和装用草履のつま先カバーであることを特徴とする。
【考案の効果】
【００１１】
本考案によれば、簡易に着脱できるとともに、携行ができ、しかも複雑な構造としないため製造も容易な、草履のつま先カバーを提供することを提供することができる。
【図面の簡単な説明】
【００１２】
【図１】本考案の草履のつま先カバーの正面図である。
【図２】本考案の草履のつま先カバーの背面図である。
【図３】本考案の草履のつま先カバーの平面図である。
【図４】本考案の草履のつま先カバーの底面図である。
【図５】本考案の草履のつま先カバーの右側面図である。
【図６】本考案の草履のつま先カバーの左側面図である。
【図７】本考案の草履のつま先カバーを上から見た斜視図である。
【図８】本考案の草履のつま先カバーを上から見た斜視図である。
【図９】本考案の草履のつま先カバーの一足を上から見た斜視図である。
【図１０】本考案の草履のつま先カバーの一足を上から見た斜視図である。
【図１１】本考案の草履のつま先カバーの一足を下から見た斜視図である。
【図１２】本考案の草履のつま先カバーの一足を上から見た斜視図である。
【図１３】本考案の草履のつま先カバーを草履に装着し上から見た斜視図である。
【考案を実施するための形態】
【００１３】
以下、草履のつま先カバーについて、図面を参照して説明する。
図１〜図１３を参照しながら、本考案の実施形態について説明する。
本物品は、草履に補助的に装着する付属品である。
本物品は、各図に示すように、左右一対の、同一形状の本物品から構成されるものであ、使用状態を示す図１３にあるように草履に補助的に使用するものである。
【００１４】
本考案のつま先カバーは、全体がシート状の素材により形成されている。草履に装着して歩いたりしても、ずれにくく、履き心地を損ねることがない。
また、本考案のつま先カバーは、好ましくは透明度を有する材料により形成されている。このようにすれば草履の風情やファッション性を損なうことがない。
【００１５】
本考案のつま先カバーは、草履の爪先から前部までを覆う上面部を備えている。シート状素材の上面部は、雨除けとしても機能する。
また、つま先カバーの上面部には、模様、マークなどを印刷することができる。
【００１６】
次に、本考案のつま先カバーは、前記の上面部と一体的に形成され、草履の表面に載る底面部とを備えている。
【００１７】
前記の底面部の前部には鼻緒を通す孔が設けられている。
次に、本考案のつま先カバーの底面部には、前記の孔より後部方向に延びる切り線が設けられ、各図に示すように、足の裏が接する面には鼻緒を通す孔に鼻緒を通せるようにして、草履に装着する。
【００１８】
底面の長手方向の中心線付近より左右いずれかの片側は、底面部を形成するシートが二重になるように形成され、図１１、図１２に示されるように、孔に鼻緒を通すためには、二重になっているうちの上側のシートをめくりあげて、鼻緒を穴に装着する。
図１１、図１２では、底面の長手方向の中心線付近より右半分のみが、二重にシート状の素材が重なるように形成されている。
二重になっている部分のみは、製造時に、前記の切り戦を入れた後に、熱圧着その他の方法により一体になるように形成すればよいので、製造コストや手間がかさむことがない。
【００１９】
このため、簡単に着脱が可能で、めくりあげたシートをもとに戻せば、図１３に示される使用状態となり、この状態で草履を履けば、装着面が安定し、草履本体との段差を感じることなく、あたかもスリッパのようにスムーズな足入れと履き心地を実現することができる。
【産業上の利用可能性】
【００２０】
以上詳細に説明したように、本考案によれば、従来の爪掛や草履のつま先カバーの欠点を解消し、簡易に着脱できるとともに、携行ができ、しかも複雑な構造としないため製造も容易な、草履のつま先カバーを提供することができる。
【図１】
0003233165.tif 000003
【図２】
0003233165.tif 000004
【図３】
0003233165.tif 000005
【図４】
0003233165.tif 000006
【図５】
0003233165.tif 000007
【図６】
0003233165.tif 000008
【図７】
0003233165.tif 000009
【図８】
0003233165.tif 000010
【図９】
0003233165.tif 000011
【図１０】
0003233165.tif 000012
【図１１】
0003233165.tif 000013
【図１２】
0003233165.tif 000014
【図１３】
0003233165.tif 000015